(57)【要約】【課題】各種各様のいずれの状況にも十分に対応できるスクリーン、例えばコントラストが大きく鮮明な画像が得られることが求められる状況、サイドの方向からでも十分に明るい画像を見ることができることが求められる状況のいずれにも十分に問題なく対応できるスクリーンを提供する。【解決手段】この発明のリバーシブルスクリーン１は、少なくとも１以上の光反射特性が互いに異なる第１スクリーンと第２スクリーンとが積層一体化されてなることを特徴とする。例えば、拡散反射型白色スクリーン２と、該拡散反射型白色スクリーンよりもコントラスト比が大きいハイコントラストスクリーン３とが積層一体化されてなるリバーシブルスクリーン１が好ましく用いられる。【選択図】図１
2010204460.tif 000002
【特許請求の範囲】
【請求項１】
少なくとも１以上の光反射特性が互いに異なる第１スクリーンと第２スクリーンとが積層一体化されてなることを特徴とするリバーシブルスクリーン。
【請求項２】
拡散反射型白色スクリーンと、該拡散反射型白色スクリーンよりもコントラスト比が大きいハイコントラストスクリーンとが積層一体化されてなることを特徴とするリバーシブルスクリーン。
【請求項３】
前記ハイコントラストスクリーンは、支持層上にアルミニウム箔がそのマット面側を上にして積層され、前記アルミニウム箔のマット面側に、無機粒子を１〜５０質量％含有してなる合成樹脂層が設けられてなるスクリーンである請求項２に記載のリバーシブルスクリーン。
【請求項４】
前記拡散反射型白色スクリーンは、白色顔料を含有した合成樹脂層を有したスクリーンである請求項２または３に記載のリバーシブルスクリーン。
【発明の詳細な説明】
【技術分野】
【０００１】
この発明は、企業やオフィス、あるいは地域や家庭などで使用されるスライド映写機、フィルム映写機、ビデオ映写機、液晶プロジェクタ、ＯＨＰなどの各種映写機器の映像を映写するために用いられるスクリーンに関する。
【背景技術】
【０００２】
反射型の映写用スクリーンとしては、例えば、ＰＥＴフィルムからなる支持材の上にアルミニウム箔からなる反射層が積層されてなるスクリーンが公知である（特許文献１参照）。
【０００３】
従来、アルミニウム箔を用いた反射型スクリーンは、一般に、視野角が狭く、コントラストも十分でないという問題があった。
【０００４】
そこで、視野角が広く、コントラストも大きい反射型スクリーンとして、支持層上にアルミニウム箔がそのマット面側を上にして積層され、前記アルミニウム箔のマット面側に、無機粒子を１〜５０質量％含有してなる合成樹脂層が設けられてなるスクリーンが提案されている（特許文献２参照）。
【先行技術文献】
【特許文献】
【０００５】
【特許文献１】特開２０００−３０５１７７号公報
【特許文献２】特開２００８−６５０２６号公報
【発明の概要】
【発明が解決しようとする課題】
【０００６】
上記後者のスクリーンは、コントラストが大きく鮮明な画像が得られるものの、十分に広い視野角が得られるものではなかった。例えば、スクリーンに画像を映写するに際し、コントラスト比が大きく鮮明な画像が得られることが要求されるような場合（例えばフロント映写タイプのテレビを正面方向から少人数で見る場合）には、十分に対応できるのであるが、サイドの方向からでも十分に明るい画像を見ることができることが要求されるような場合（例えば大きな教室で多人数で拡がって見る場合）には十分に対応することはできなかった。
【０００７】
また、一般に、十分に広い視野角が得られるスクリーンは、コントラスト比が小さく鮮明な画像が得られ難いという問題があり、このように特定の光反射特性に優れた（例えば広い視野角を有する等）スクリーンは、これと異なる光反射特性のうち少なくとも１つは劣っているものであり（例えばコントラスト比が小さい等）、前記各種各様のいずれの状況にも十分に対応できるスクリーンはこれまでなかったのが実状である。
【０００８】
この発明は、かかる技術的背景に鑑みてなされたものであって、各種各様のいずれの状況にも十分に対応できるスクリーンを提供することを目的とする。例えば、コントラスト比が大きく鮮明な画像が得られることが求められる場合、サイドの方向からでも十分に明るい画像を見ることができることが求められる場合のいずれにも十分に問題なく対応できるスクリーンを提供することを目的とする。
【課題を解決するための手段】
【０００９】
前記目的を達成するために、本発明は以下の手段を提供する。
【００１０】
［１］少なくとも１以上の光反射特性が互いに異なる第１スクリーンと第２スクリーンとが積層一体化されてなることを特徴とするリバーシブルスクリーン。
【００１１】
［２］拡散反射型白色スクリーンと、該拡散反射型白色スクリーンよりもコントラスト比が大きいハイコントラストスクリーンとが積層一体化されてなることを特徴とするリバーシブルスクリーン。
【００１２】
［３］前記ハイコントラストスクリーンは、支持層上にアルミニウム箔がそのマット面側を上にして積層され、前記アルミニウム箔のマット面側に、無機粒子を１〜５０質量％含有してなる合成樹脂層が設けられてなるスクリーンである前項２に記載のリバーシブルスクリーン。
【００１３】
［４］前記拡散反射型白色スクリーンは、白色顔料を含有した合成樹脂層を有したスクリーンである前項２または３に記載のリバーシブルスクリーン。
【発明の効果】
【００１４】
［１］の発明では、少なくとも１以上の光反射特性が互いに異なる第１スクリーンと第２スクリーンとが積層一体化されてなる構成であるから、第１スクリーンの光反射特性のうち長所の光反射特性（例えば第２スクリーンの短所の光反射特性である場合が多い）がスクリーンとして十分に発揮されることが求められる状況ではこの第１スクリーン側を映写投影面にして使用することができる一方、第２スクリーンの光反射特性のうち長所の光反射特性（例えば第１スクリーンの短所の光反射特性である場合が多い）がスクリーンとして十分に発揮されることが求められる状況ではこの第２スクリーン側を映写投影面にして使用することができ、このように各種各様の状況に応じてリバーシブルで（表裏で）使い分けることができる。
【００１５】
なお、前記光反射特性としては、例えば、コントラスト比、視野角、輝度、反射態様（回帰反射、正反射等）などが挙げられる。
【００１６】
［２］の発明では、拡散反射型白色スクリーンと、該拡散反射型白色スクリーンよりもコントラスト比が大きいハイコントラストスクリーンとが積層一体化されてなる構成であるから、例えばサイドの方向からでも十分に明るい画像を見ることができることが求められる状況では拡散反射型白色スクリーン側を映写投影面にして使用すればサイドの方向からでも十分に明るい画像を見ることができ、一方コントラスト比が大きく鮮明な画像が得られることが求められる状況ではハイコントラストスクリーン側を映写投影面にして使用すればコントラスト比の大きい鮮明な画像を見ることができ、このように状況に応じてリバーシブルで（表裏で）使い分けることができる。
【００１７】
［３］の発明では、ハイコントラストスクリーンとして、支持層上にアルミニウム箔がそのマット面側を上にして積層され、前記アルミニウム箔のマット面側に、無機粒子を１〜５０質量％含有してなる合成樹脂層が設けられてなるスクリーンを用いているから、このハイコントラストスクリーン側を映写投影面にして使用した時により一層鮮明な画像を見ることができる。
【００１８】
［４］の発明では、拡散反射型白色スクリーンとして、白色顔料を含有した合成樹脂層を有したスクリーンを用いているから、この拡散反射型白色スクリーン側を映写投影面にして使用した時に視野角がより一層広い画像を形成できる。
【図面の簡単な説明】
【００１９】
【図１】この発明に係るリバーシブルスクリーンの一実施形態を示す断面図である。
【発明を実施するための形態】
【００２０】
この発明に係るリバーシブルスクリーンの一実施形態の断面図を図１に示す。このリバーシブルスクリーン（１）は、少なくとも１以上の光反射特性が互いに異なる第１スクリーン（２）と第２スクリーン（３）とが積層一体化されてなる構成であり、本実施形態では、拡散反射型白色スクリーン（２）と、該拡散反射型白色スクリーンよりもコントラスト比が大きいハイコントラストスクリーン（３）とが積層一体化されてなる。前記第１スクリーン（２）の裏面（非映写面）と前記第２スクリーン（３）の裏面（非映写面）とが接着剤等で接合されてリバーシブルスクリーン（１）が構成されている。即ち、前記拡散反射型白色スクリーン（２）の裏面（非映写面）と前記ハイコントラストスクリーン（３）の裏面（非映写面）とが接着剤等で接合されてリバーシブルスクリーン（１）が構成されている。このリバーシブルスクリーン（１）では、一方の外表面が前記拡散反射型白色スクリーン（２）の映写面になっており、他方の（反対側の）外表面が前記ハイコントラストスクリーン（３）の映写面になっている。
【００２１】
前記リバーシブルスクリーン（１）を使用する際には、例えばサイドの方向からでも十分に明るい画像を見ることができること（視野角が大きいこと）が求められる時には拡散反射型白色スクリーン（２）側を映写投影面にして使用するとサイドの方向からでも十分に明るい画像を見ることができ、また例えばコントラストが大きく鮮明な画像が得られることが求められる時にはハイコントラストスクリーン（３）側を映写投影面にして使用するとコントラストの大きい鮮明な画像を見ることができ、このように各要求に応じてより適切な方のスクリーンを選択してリバーシブルで（表裏で）使用することができ、このような汎用性に優れたスクリーンが提供される。
【００２２】
前記拡散反射型白色スクリーン（２）としては、特に限定されるものではないが、白色顔料を含有した合成樹脂層を有したスクリーンを用いるのが好ましい。この場合には視野角のより広い画像を形成できる。前記白色顔料を含有した合成樹脂層の表面（映写面）は、サンドブラスト加工等により微細凹凸面に形成されているのが好ましい。前記白色顔料を含有した合成樹脂層を構成する合成樹脂としては、特に限定されないが、ポリエチレンテレフタレート（ＰＥＴ）が好ましく用いられる。また、前記白色顔料としては、特に限定されないが、例えば酸化チタン等が挙げられる。前記拡散反射型白色スクリーン（２）として、具体的には、例えば、表面（映写面）がサンドブラスト加工された厚さ１８８μｍの白色顔料含有ＰＥＴフィルムを例示できる。
【００２３】
前記ハイコントラストスクリーン（３）は、図１に示すように、支持層（１２）上にアルミニウム箔（１３）がそのマット面側を上にして積層され、前記アルミニウム箔（１３）のマット面側に、無機粒子を１〜５０質量％含有してなる合成樹脂層（１４）が設けられてなり、本実施形態では、前記合成樹脂層（１４）の上にさらにコート層（１５）が積層され、前記支持層（１２）の下にさらにベース層（１６）が積層されている。しかして、このハイコントラストスクリーン（３）のベース層（１６）と前記拡散反射型白色スクリーン（２）の裏面（非映写面）とが接着剤で積層一体化されてリバーシブルスクリーン（１）が構成されている。
【００２４】
前記支持層（１２）としては、厚さ５０〜２５０μｍのＰＥＴフィルムを用いるのが好ましく、例えばこのＰＥＴフィルム上にアルミニウム箔（１３）をそのマット面側を上にしてドライラミネート等の手法で貼合して積層する。
【００２５】
次に、前記アルミニウム箔（１３）のマット面側に、無機粒子を１〜５０質量％含有してなる合成樹脂層（１４）をグラビアコート等の手法で設け、凹凸を形成する。こうして合成樹脂層（１４）を設けた後、支持層（１２）、アルミニウム箔（１３）及び合成樹脂層（１４）の全体を２００℃以上の高温で乾燥処理する。
【００２６】
前記合成樹脂層（１４）を設けることにより、アルミニウム箔（１３）による反射を抑制して、ホットポイントの発生を無くし、アルミニウム箔（１３）の持つ方向性を緩和して、ハイコントラストスクリーン（３）の輝度を損なうことを抑止できる。
【００２７】
前記合成樹脂層（１４）を形成する合成樹脂としては、特に限定されないものの、アクリル系樹脂が好ましい。また、前記合成樹脂層（１４）を形成する無機粒子としては、特に限定されるものではないが、例えばアルミナ、シリカ等が挙げられ、中でもシリカが特に好適である。前記無機粒子の粒径については、十分な視野角と輝度を得るために、使用量（質量）８０％以上が０．１〜５．０μｍの粒径範囲にあるものを適用するのが望ましい。
【００２８】
前記合成樹脂層（１４）に配合される無機粒子の配合量は１〜５０質量％の範囲とする。配合量が１質量％未満では十分な視野角が得難く、配合量が５０質量％を超えると輝度が低下する。前記合成樹脂層（１４）の被覆量は０．５〜１０ｇ／ｍ2とするのが好ましい。０．５ｇ／ｍ2未満では十分な視野角が得難く、１０ｇ／ｍ2を超えると視野角が小さくなる。
【００２９】
前記コート層（１５）は、合成樹脂層（１４）から無機粒子が脱落するのを防止し、汚れを防止し、また耐候性を向上させるために設けられており、例えば合成樹脂層（１４）の上にグラビアコート等の手法によりこのコート層（１５）が積層される。このコート層（１５）を形成する合成樹脂としては、特に限定されないものの、アクリル樹脂、エポキシ樹脂、ウレタン樹脂が好ましい。
【００３０】
前記コート層（１５）は、通常は透明な合成樹脂で形成されるが、着色したものとすることもでき、例えば黒色の顔料、染料を配合しても良い。このコート層（１５）は輝度を高める効果も期待できる。
【００３１】
前記ベース層（１６）としては、特に限定されるものではないが、例えばポリエステルシートが用いられる。このベース層（１６）は、例えばドライラミネート等の手法により前記支持層（１２）の下に積層される。
【００３２】
前記ハイコントラストスクリーン（３）としては、上記実施形態のものに特に限定されるものではなく、前記拡散反射型白色スクリーン（２）よりもコントラスト比が大きい反射型スクリーンであればどのようなものでも使用できる。前記コントラスト比は、スクリーンに映写された画像における最も明るい部分（白）と暗い部分（黒）の輝度の比を意味するものである。このコントラスト比は、暗室内に配置されたスクリーンに白を表示した場合の輝度（Ｗ）と、黒を表示した場合の輝度（Ｂ）を測定して求められる比率であり、Ｗ／Ｂである。
【００３３】
この発明において、第１スクリーン（２）と第２スクリーン（３）の組み合わせ態様は、上記実施形態のような拡散反射型白色スクリーン（２）とハイコントラストスクリーン（３）の組み合わせに限定されるものではなく、少なくとも１以上の光反射特性が互いに異なるスクリーン同士であれば互いに積層して本発明のリバーシブルスクリーン（１）として構成できる。光反射特性が互いに異なるスクリーンとしては、例えば、拡散反射型白色スクリーン、回帰反射型スクリーン（ビーズスクリーン等）、正反射型スクリーン（パール顔料塗工タイプ等）、ハイコントラストスクリーン等が挙げられ、これらのうちの２つを任意に組み合わせて（積層して）本発明のリバーシブルスクリーン（１）を構成しても良い。
【００３４】
なお、上記実施形態では、第１スクリーン（２）と第２スクリーン（３）とは接着剤で積層一体化されているが、積層態様は特にこのような形態に限定されるものではなく、例えば第１スクリーン（２）と第２スクリーン（３）とが積層界面で互いに溶着された構成であっても良い。
【産業上の利用可能性】
【００３５】
この発明に係るリバーシブルスクリーンは、企業やオフィス、あるいは地域や家庭などで使用されるスライド映写機、フィルム映写機、ビデオ映写機、液晶プロジェクタ、ＯＨＰ等の各種映写機器の映像を映写するために用いられる。
【符号の説明】
【００３６】
１…リバーシブルスクリーン
２…拡散反射型白色スクリーン
３…ハイコントラストスクリーン
１２…支持層
１３…アルミニウム箔
１４…合成樹脂層
【図１】
2010204460.tif 000003